(57)【要約】【課題】小型化を可能とし、かつ、振動によるフェライトの固定位置の変位によるノイズ除去性能の低下を防止することによって通信信頼性を確保することができる多重通信用コネクタを提供すること。【解決手段】一対の貫通孔４１が形成された複数のフェライト４０と、複数のフェライト収容部３２と、一対の貫通孔４１に通される一対のタブ状端子５１の各タブ状端子５１を複数のフェライト収容部３２の並び方向で連結する端子連結部５２を有する一対のバスバー５０のそれぞれの端子連結部５２を固定する一対の端子固定部３３と、を有するリアカバー３０と、前面に嵌合口が形成されたコネクタ嵌合部２１を有し、複数のフェライト収容部３２に収容されたそれぞれのフェライト４０を該フェライト収容部３２の収容方向へ内壁面３２ａに当接させた状態で固定するように弾性的に付勢する複数の弾性付勢部２４が後面２０ａに設けられたハウジング本体２０と、を有する。【選択図】図２
2020047367.tif 000002
【特許請求の範囲】
【請求項１】
一対の貫通孔が形成された複数のフェライトと、
前記複数のフェライトのそれぞれが収容される複数のフェライト収容部と、前記一対の貫通孔に通される一対のタブ状端子の各タブ状端子を前記複数のフェライト収容部の並び方向で連結する端子連結部を有する一対のバスバーのそれぞれの前記端子連結部を固定する一対の端子固定部と、を有するリアカバーと、
相手コネクタとの嵌合部分となり、前面に嵌合口が形成されたコネクタ嵌合部を有し、かつ、前記リアカバーが後部に組み付けられる部分であり、前記リアカバーが後部に組み付けられた場合、前記複数のフェライト収容部に収容されたそれぞれの前記フェライトを該フェライト収容部の収容方向へ該フェライト収容部の内壁面に当接させた状態で固定するように弾性的に付勢する複数の弾性付勢部が後面に設けられたハウジング本体と、
を有することを特徴とする多重通信用コネクタ。
【請求項２】
前記複数のフェライトは、
外周面に収容方向奥側端面に向けて先細りとなるように傾斜面が形成されたテーパ状をなし、
前記複数のフェライト収容部は、
前記傾斜面に対応して入り口開口が拡大されるように傾斜し、かつ、前記複数のフェライトが前記複数の弾性付勢部に付勢されて前記傾斜面を当接させる前記内壁面としての収容部側傾斜面が形成されている
ことを特徴とする請求項１に記載の多重通信用コネクタ。
【発明の詳細な説明】
【技術分野】
【０００１】
本発明は、ノイズ除去機能を有する多重通信用コネクタに関する。
【背景技術】
【０００２】
従来、車両に搭載された複数の電装品を通信によって制御するために配策される通信線の接続に多重通信用コネクタが用いられる。
この多重通信用のコネクタは、コネクタハウジング内にノイズを除去するための磁性体としてフェライトが内部に配置されるようになっている。
【０００３】
例えば、特許文献１には、第一のハウジングの後部に組み付けられる第二のハウジングに、第一のハウジングに設けられた複数のコネクタ嵌合部に対応した位置で複数のフェライトを各フェライトに対して一対ずつ設けられた付勢アームによって保持した多重通信用のコネクタが記載されている。
【先行技術文献】
【特許文献】
【０００４】
【特許文献１】特開２０１２−６９２７０号公報
【発明の概要】
【発明が解決しようとする課題】
【０００５】
しかしながら、特許文献１に記載された多重通信用のコネクタは、一対の付勢アームがフェライトの両側面からフェライトを付勢して保持するようになっているので、第二のハウジングの寸法が一対の付勢アームの対向方向で大きくなり、しかも、一対の付勢アームが露出しているので、第一のハウジングによってその露出部分を覆う必要があるため、大型化してしまう問題がある。
また、特許文献１に記載された多重通信用のコネクタは、一対の付勢アームがフェライトの両側面を保持するようになっているものの、フェライトの収容方向では保持されていないため、フェライトの収容方向でフェライトと第一、第二ハウジングとの間に隙間があると、設置先が振動するような車両である場合、走行時の振動によって、フェライトの固定位置の変位、および、一対の付勢アームの変位によって、フェライトの貫通孔の中心が貫通孔に挿通される端子の中心に対してズレてしまうため、ノイズ除去性能が低下し、結果的に、通信信頼性が低下してしまう問題がある。
【０００６】
本発明は、上記に鑑みてなされたものであって、小型化を可能とし、かつ、振動によるフェライトの固定位置の変位によるノイズ除去性能の低下を防止することによって通信信頼性を確保することができる多重通信用コネクタを提供することを目的とする。
【課題を解決するための手段】
【０００７】
上述した課題を解決し、目的を達成するために、本発明に係る多重通信用コネクタは、一対の貫通孔が形成された複数のフェライトと、前記複数のフェライトのそれぞれが収容される複数のフェライト収容部と、前記一対の貫通孔に通される一対のタブ状端子の各タブ状端子を前記複数のフェライト収容部の並び方向で連結する端子連結部を有する一対のバスバーのそれぞれの前記端子連結部を固定する一対の端子固定部と、を有するリアカバーと、相手コネクタとの嵌合部分となり、前面に嵌合口が形成されたコネクタ嵌合部を有し、かつ、前記リアカバーが後部に組み付けられる部分であり、前記リアカバーが後部に組み付けられた場合、前記複数のフェライト収容部に収容されたそれぞれの前記フェライトを該フェライト収容部の収容方向へ該フェライト収容部の内壁面に当接させた状態で固定するように弾性的に付勢する複数の弾性付勢部が後面に設けられたハウジング本体と、を有することを特徴とする。
【０００８】
また、本発明に係る多重通信用コネクタは、上記の発明において、前記複数のフェライトは、外周面に収容方向奥側端面に向けて先細りとなるように傾斜面が形成されたテーパ状をなし、前記複数のフェライト収容部は、前記傾斜面に対応して入り口開口が拡大されるように傾斜し、かつ、前記複数のフェライトが前記複数の弾性付勢部に付勢されて前記傾斜面を当接させる前記内壁面としての収容部側傾斜面が形成されていることを特徴とする。
【発明の効果】
【０００９】
本発明に係る多重通信用コネクタは、前記複数のフェライトが前記リアカバーの前記複数のフェライト収容部内に収容されると共に、前面に嵌合口が形成された嵌合部を有する前記ハウジング本体の後面に設けられた前記複数の弾性付勢部によって前記複数のフェライトを前記ハウジング本体の後部に組み付けられるリアカバーのフェライト収容部の収容方向に付勢する。
また、前記複数の弾性付勢部が露出される前記ハウジング本体の後面は、前記リアカバーが組み付けられることによって塞がれる。
そして、本発明に係る多重通信用コネクタは、前記複数のフェライトを前記複数の弾性付勢部によって収容方向に付勢することによって、前記複数のフェライトを収容方向で前記ハウジング本体と前記リアカバーとの間で隙間なく保持することができる。
このため、本発明に係る多重通信用コネクタは、小型化を可能とし、かつ、振動によるフェライトの固定位置の変位によるノイズ除去性能の低下を防止することによって通信信頼性を確保することができる。
【図面の簡単な説明】
【００１０】
【図１】図１は、本発明の実施例１に係る多重通信用コネクタの分解断面図および相手コネクタの断面図である。
【図２】図２は、本発明の実施例１に係る多重通信用コネクタおよび相手コネクタの断面図である。
【図３】図３は、図２に示した多重通信用コネクタのＡ−Ａ線断面図である。
【図４】図４は、本発明の実施例２に係る多重通信用コネクタの断面図である。
【発明を実施するための形態】
【００１１】
以下、図面を参照して、本発明に係る多重通信用コネクタの好適な実施例を詳細に説明する。
【実施例１】
【００１２】
図１は、本発明の実施例１に係る多重通信用コネクタ１の分解断面図および相手コネクタの断面図である。図２は、本発明の実施例１に係る多重通信用コネクタ１および相手コネクタ１００の断面図である。図３は、図２に示した多重通信用コネクタ１のＡ−Ａ線断面図である。
本発明の実施例１に係る多重通信用コネクタ１は、例えば、車両に搭載された複数の電装品を通信によって制御するために配策される通信線の接続に用いられるものである。
【００１３】
多重通信用コネクタ１は、コネクタハウジング１０と、コネクタハウジング１０の内部に組み込まれる複数のフェライト４０と、一対のバスバー５０と、を有する。
【００１４】
まず、フェライト４０について説明する。
フェライト４０は、収容方向に直交する断面形状が略矩形状のブロック状の磁性体であり、一対の貫通孔４１が形成されている。
このフェライト４０は、一対の貫通孔４１が一対のバスバー５０の後述する一対のタブ状端子５１が挿通されるように形成されている。
各貫通孔４１は、貫通孔４１の中心と、貫通孔４１に挿通されているタブ状端子５１の中心とが一致した状態になっていれば、孔内壁面に対してタブ状端子５１が僅かな隙間を有して挿通されるように孔内径が設定されている。
【００１５】
次に、一対のバスバー５０について説明する。
一対のバスバー５０の各バスバー５０は、板状の導電部材にプレス加工等を施すことによって成形されたものである。
各バスバー５０は、複数のタブ状端子５１と、複数のタブ状端子５１を連結する端子連結部５２と、を有する。
【００１６】
一対のバスバー５０は、各端子連結部５２が、フェライト４０の一対の貫通孔４１を通して突出される一対のタブ状端子５１の各タブ状端子５１を後述する複数のフェライト収容部３２の並び方向で連結する向きで後述するリアカバー３０に固定されるようになっている。
【００１７】
次に、コネクタハウジング１０について説明する。
コネクタハウジング１０は、合成樹脂等の絶縁材からなり、本体部分となるハウジング本体２０と、ハウジング本体２０の後部に組み付けられるリアカバー３０と、を有する。
【００１８】
ハウジング本体２０は、リアカバー３０が後部に組み付けられる部分である。
このハウジング本体２０は、相手コネクタ１００との嵌合部分となり、前面に嵌合口が形成されたコネクタ嵌合部２１と、リアカバー３０が後部に組み付けられた場合、複数のフェライト収容部３２に収容されたそれぞれのフェライト４０を該フェライト収容部３２の収容方向へ該フェライト収容部３２の内壁面３２ａに当接させた状態で固定するように弾性的に付勢する複数の弾性付勢部２４と、リアカバー３０が組み付け完了された状態でリアカバー３０の係合部３７が係合される被係合部２５と、を有する。
【００１９】
コネクタ嵌合部２１は、相手コネクタ１００が嵌入される嵌入空間２１ａが形成されたフード状をなし、嵌入空間２１ａの底面を形成する底壁２２に一対のバスバー５０の各タブ状端子５１が貫通される複数の貫通孔２３が形成されている。
このコネクタ嵌合部２１は、底壁２２から嵌入空間２１ａに向けて一対のバスバー５０の各タブ状端子５１が突出されるようになっている。
【００２０】
複数の弾性付勢部２４は、ハウジング本体２０の後面２０ａに設けられている。
なお、ハウジング本体２０の後面２０ａとは、具体的には、嵌入空間２１ａの底壁２２のフェライト収容部３２の開口に対峙される側の面である。
【００２１】
各弾性付勢部２４は、複数のフェライト収容部３２に収容された各フェライト４０に対応した位置にそれぞれ設けられている。
この実施例１では、各フェライト４０に対応して設けられる弾性付勢部２４は、フェライト収容部３２の開口側のフェライト４０の端面の一対の貫通孔４１の並び方向両端部を収容方向に付勢するように一対ずつ設けられている。
対で設けられた弾性付勢部２４は、互いの先端を内側に向けるようにＲ状に屈曲されたアーム状をなしている。
【００２２】
なお、弾性付勢部２４は、アーム状に限らず、フェライト４０を収容方向に弾性的に付勢することができれば、その他の形状であっても構わない。
また、弾性付勢部２４は、各フェライト４０に対応して一対ずつ設けるものを例示したが、これに限らず、各フェライト４０に対応して一つずつ設けるようにしても構わない。例えば、フェライト４０の一対の貫通孔４１の間の部分を収容方向に弾性的に付勢することができる一つの弾性付勢部で付勢するようにしてもよい。
【００２３】
被係合部２５は、図３に示すように、ハウジング本体２０の後部の外面に突設されている。
【００２４】
リアカバー３０は、ハウジング本体２０の後部が嵌め合わされる部分となる組み付け用嵌合部３１と、複数のフェライト４０がそれぞれ収容される複数のフェライト収容部３２と、一対のバスバー５０のそれぞれの端子連結部５２を固定する一対の端子固定部３３（図１参照）と、を有する。
【００２５】
組み付け用嵌合部３１は、ハウジング本体２０の後部の外面に嵌め合うように被さる部分であり、端部内面にハウジング本体２０の被係合部２５に係合する係合部３７が突設されている（図３参照）。
なお、係合部３７の周辺は薄肉部分になっており、係合部３７が被係合部２５をのり越えて係合完了位置に移動され易いように、この薄肉部分が外側に弾性的に撓み易くなっている。
【００２６】
フェライト収容部３２は、収容方向に直交する断面形状が略矩形状のフェライト４０に対応した収容空間を形成している。
【００２７】
一対の端子固定部３３は、一対のバスバー５０の各端子連結部５２が圧入される凹部であり、フェライト収容部３２の収容方向奥側壁面３２ａに、複数のフェライト収容部３２の並び方向に沿って直線状に形成されている。
【００２８】
次に、多重通信用コネクタ１の組立手順を説明する。
まず、作業者は、一対のバスバー５０をリアカバー３０に取り付ける。
より具体的には、作業者は、一対のバスバー５０の各端子連結部５２をリアカバー３０の対応するそれぞれの端子固定部３３に圧入して固定する。
【００２９】
次に、作業者は、複数のフェライト４０をリアカバー３０の複数のフェライト収容部３２にそれぞれ収容する。
より具体的には、作業者は、リアカバー３０に取り付け完了された一対のバスバー５０のそれぞれのタブ状端子５１を各フェライト４０の一対の貫通孔４１に挿通しつつ、各フェライト４０を対応するフェライト収容部３２に収容する。
【００３０】
最後に、作業者は、リアカバー３０をハウジング本体２０の後部に組み付けることによって多重通信用コネクタ１の組み立てを完了する。
より具体的には、ハウジング本体２０の後部とリアカバー３０の組み付け用嵌合部３１とを嵌め合わせつつ、ハウジング本体２０の被係合部２５にリアカバー３０の係合部３７を係合させる。
このようにリアカバー３０をハウジング本体２０の後部に組み付ける際、ハウジング本体２０の後面２０ａに設けられた複数の弾性付勢部２４が各フェライト４０を収容方向へ該フェライト収容部３２の内壁面である収容方向奥側壁面３２ａに当接されるように付勢するので、各フェライト４０は、フェライト収容部３２内に完全に固定される。
これにより、各フェライト４０は、フェライト４０の収容方向でハウジング本体２０、および、リアカバー３０との間に隙間なく当接された状態で各フェライト収容部３２内に完全に固定される。
【００３１】
本発明の実施例１に係る多重通信用コネクタ１は、複数のフェライト４０がリアカバー３０の複数のフェライト収容部３２内に収容されると共に、前面に嵌合口が形成されたコネクタ嵌合部２１を有するハウジング本体２０の後面２０ａに設けられた複数の弾性付勢部２４によって複数のフェライト４０をハウジング本体２０の後部に組み付けられるリアカバー３０のフェライト収容部３２の収容方向に付勢する。
また、複数の弾性付勢部２４が露出されるハウジング本体２０の後面２０ａは、リアカバー３０が組み付けられることによって塞がれる。
そして、本発明の実施例１に係る多重通信用コネクタ１は、複数のフェライト４０を複数の弾性付勢部２４によって収容方向に付勢することによって、複数のフェライト４０を収容方向でハウジング本体２０とリアカバー３０との間で隙間なく保持することができる。
このため、本発明の実施例１に係る多重通信用コネクタ１は、小型化を可能とし、かつ、振動によるフェライトの固定位置の変位によるノイズ除去性能の低下を防止することによって通信信頼性を確保することができる。
【実施例２】
【００３２】
次に、図４を用いて、本発明の実施例２に係る多重通信用コネクタ２について説明する。
図４は、本発明の実施例２に係る多重通信用コネクタ２の断面図である。
この実施例２の多重通信用コネクタ２は、フェライト６０がテーパ状をなし、かつ、フェライト収容部３４がテーパ状のフェライト６０に対応した形状に形成されている点で、実施例１の多重通信用コネクタ１と異なる。
なお、その他の構成は実施例１と同様であり、実施例１と同一構成部分には同一符号を付しその説明を省略している。
【００３３】
実施例２の多重通信用コネクタ２は、コネクタハウジング１０と、コネクタハウジング１０の内部に組み込まれる複数のフェライトと、一対のバスバー５０と、を有する。
【００３４】
まず、フェライト６０について説明する。
フェライト６０は、ブロック状の磁性体であり、一対の貫通孔４１が形成され、かつ、外周面に収容方向奥側端面に向けて先細りとなるように傾斜面が形成されたテーパ状になっている。
【００３５】
この実施例２では、フェライト６０は、収容方向に直交する断面形状が略矩形状をなし、一対の貫通孔４１の並び方向（図４中、Ｚ軸で示す方向）の両面で対称的に形成された一対の傾斜面６０ａ、６０ｂと、一対の貫通孔４１の並び方向に直交する方向（図４中、Ｙ軸で示す方向）の両面で対称的に形成された不図示の一対の傾斜面とで外周面を形成することによってテーパ状になっている。
【００３６】
次に、リアカバー３０の複数のフェライト収容部３４について説明する。
複数のフェライト収容部３４は、フェライト６０の傾斜面（６０ａ、６０ｂ等）に対応して入り口開口が拡大されるように傾斜し、かつ、複数のフェライトが複数の弾性付勢部２４に付勢されて傾斜面（６０ａ、６０ｂ等）を当接させる内壁面としての傾斜面（３５ａ、３５ｂ等）（以下、フェライトの傾斜面と区別するため「収容部側傾斜面」という。）が形成されたテーパ対応傾斜面部３５と、フェライト収容部３４の収容空間の底壁にフェライト４０が突き当てられないように形成された逃げ空間部３６と、を有する。
【００３７】
テーパ対応傾斜面部３５は、一対の貫通孔４１の並び方向（図４中、Ｚ軸で示す方向）の両面で対称的に形成されたフェライト４０の一対の傾斜面６０ａ、６０ｂに対応した一対の収容部側傾斜面３５ａ、３５ｂと、一対の貫通孔の並び方向に直交する方向（図４中、Ｙ軸で示す方向）の両面で対称的に形成されたフェライト４０の不図示の一対の傾斜面に対応した不図示の一対の収容部側傾斜面と、を有する。
【００３８】
逃げ空間部３６は、フェライト４０の各傾斜面（６０ａ、６０ｂ等）が対応する収容部側傾斜面（３５ａ、３５ｂ等）に当接された状態で、フェライト４０の収容方向側端面とフェライト収容部３４の収容方向奥側壁面３４ａとの間に隙間を形成するように設けた部分である。
【００３９】
この逃げ空間部３６は、フェライト４０が弾性付勢部２４によって収容方向に付勢された状態で、フェライト収容部３４の収容方向奥側壁面３４ａに突き当てられることなく、傾斜面（６０ａ、６０ｂ等）がフェライト収容部３４の内壁面である収容部側傾斜面（３５ａ、３５ｂ等）に当接されて固定されるように機能する。
【００４０】
このような逃げ空間部３６が設けられることによって、フェライト４０の各傾斜面（６０ａ、６０ｂ等）と、フェライト収容部３４の各収容部側傾斜面（３５ａ、３５ｂ等）との当接関係によるフェライト４０の位置決め固定が可能になっている。
なお、フェライト４０の位置決め固定について、より具体的に説明すると、フェライトの一対の貫通孔４１の並び方向（図４中、Ｚ軸で示す方向）、および、フェライト４０の一対の貫通孔４１の並び方向に直交する方向（図４中、Ｙ軸で示す方向）でフェライト４０が位置決め固定される。
【００４１】
本発明の実施例２に係る多重通信用コネクタ２は、本発明の実施例１に係る多重通信用コネクタ１と同様の効果を奏するとともに、複数のフェライト６０が、テーパ状の傾斜面（６０ａ、６０ｂ等）を収容部側傾斜面（３５ａ、３５ｂ等）に当接させた状態で固定されることによって、複数のフェライト６０の貫通孔４１の中心と、該貫通孔４１に挿通されているタブ状端子５１の中心とが一致した状態となるので、複数のフェライト６０の貫通孔４１にタブ状端子５１が接触しフェライト４０が摩耗することを防ぐことができる。
【００４２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４３】
１、２          多重通信用コネクタ
１０            コネクタハウジング
２０            ハウジング本体
２０ａ          後面
２１            コネクタ嵌合部
２１ａ          嵌入空間
２２            底壁
２３            貫通孔
２４            弾性付勢部
２５            被係合部
３０            リアカバー
３１            組み付け用嵌合部
３２、３４      フェライト収容部
３２ａ、３４ａ  収容方向奥側壁面（内壁面）
３３            端子固定部
３５            テーパ対応傾斜面部
３５ａ、３５ｂ  収容部側傾斜面（内壁面）
３６            逃げ空間部
３７            係合部
４０、６０      フェライト
４１            貫通孔
５０            バスバー
５１            タブ状端子
５２            端子連結部
６０ａ、６０ｂ  傾斜面
１００          相手コネクタ
【図１】
2020047367.tif 000003
【図２】
2020047367.tif 000004
【図３】
2020047367.tif 000005
【図４】
2020047367.tif 000006